(57)【要約】      （修正有）【課題】よりより束ね効果、金属材間の接触やぶつかりによる音の発生を避けるために、管径の異なった伸縮管のつなぎ部を束ねるためのプラスチック製クイックリリース構造を提供する。【解決手段】クランプ２、クイックリリースねじ３、固定ボルト４とクイックリリースレバー５が備わり、該クランプの開口には、該クイックリリースねじが通るための二つの延伸部２２があり、該固定ボルトは、横向きに該クイックリリースレバーの片側を通って設けられており、該クイックリリースねじは、該クランプを通ってから、更に、該固定ボルトを通って設けられるが、クランプはプラスチック製で二延伸部の二端部がつなぎ板６でつないでおり、クランプの内側面は段階的構造で、段階的ホールが形成されていることを特徴とするものであり、それにより、管径の異なった伸縮管のつなぎ部間を束ねて、よりよい束ね効果を得られると同時に、金属材間の接触やぶつかりによる音の発生を避けることができる。【選択図】図１
0003159054.tif 000002
【実用新案登録請求の範囲】
【請求項１】
クランプ、クイックリリースねじ、固定ボルトとクイックリリースレバーが備わり、
該クランプの開口には、該クイックリリースねじが通るための二つの延伸部があり、
該固定ボルトは、横向きに該クイックリリースレバーの片側を通って設けられており、
該クイックリリースねじは、該クランプを通ってから、更に、該固定ボルトを通って設けられるが、
該クランプの二つの延伸部の二つの端部は、つなぎ板でつなぎ、プラスチックで一体射出成形に設けられていることを特徴とするクイックリリース構造。
【請求項２】
該クランプの内側面は段階的構造で、段階的ホールが形成されていることを特徴とする請求項１に記載のクイックリリース構造。
【考案の詳細な説明】
【技術分野】
【０００１】
本考案は、クイックリリース構造に関わり、特に、プラスチック製クイックリリース構造に関する。
【背景技術】
【０００２】
クイックリリース構造は一般的に、金属で作られているため、同じく金属製の管体を束ねるとき、それに接触したりぶつかったりして、耳障りの悪い音が生じ、金属間の摩擦係数が比較的に小さいので、その束ねる効果を高めるために、もっと力を入れなければならないが、そこで、長時間に力を入れてから、クイックリリース構造が損壊しやすくなり、また、伸縮バーなど、径の異なった管体間のつなぎ部を束ねるとき、クイックリリース構造に単一直径の孔だけが設けられるため、異なった管径の管体を束ねることができず、または何らかの塞ぎ物を入れてから束ねられるようになる。
【先行技術文献】
【特許文献】
【０００３】
【特許文献１】特開平８−１８８１８８号公報
【考案の概要】
【考案が解決しようとする課題】
【０００４】
本考案は、上述の問題点を解決し、よりよい束ね効果、金属材間の接触やぶつかりによる音の発生を避けたるめに、管径の異なった伸縮管のつなぎ部を束ねるためのプラスチック製クイックリリース構造を提供することを目的とする。
【課題を解決するための手段】
【０００５】
本考案は、上述の目的を達成させるために、クイックリリース構造を提供するが、クランプ、クイックリリースねじ、固定ボルトとクイックリリースレバーが備わり、該クランプの開口には、該クイックリリースねじが通るための二つの延伸部があり、該固定ボルトは、横向きに該クイックリリースレバーの片側を通って設けられており、該クイックリリースねじは、該クランプを通ってから、更に、該固定ボルトを通って設けられており、該クランプの二延伸部の二端部は、つなぎ板でつなぎ、プラスチックで一体射出成形に設けられていることを特徴とするクイックリリース構造である。
【０００６】
該クランプの内側面は段階的構造で、段階的ホールが形成されていることを特徴とするクイックリリース構造である。
【考案の効果】
【０００７】
本考案のクイックリリース構造は、クイックリリースレバーを動かしたら、各固定セクションの端部が隣接した延伸部に突き、二延伸部間の間隔を縮めて、つなぎ板の片側をそれに対応の延伸部の端部から離させて、クランプが管体を束ねるようになり、管径の異なった伸縮管のつなぎ部間を束ねて、よりよい束ね効果を得られると同時に、金属材間の接触やぶつかりによる音の発生を避けることができる。
【図面の簡単な説明】
【０００８】
【図１】本考案のクイックリリース構造の分解図である。
【図２】本考案のクイックリリース構造の組合図である。
【図３】本考案のクイックリリース構造におけるクイックリリースレバーを動かしてからの立体図である。
【考案を実施するための形態】
【０００９】
本考案は、上述の目的を達成させるための技術手段について、以下の実施形態及び図面で詳しく説明していくが、本考案の長所および効果を簡単に理解することができる。
【００１０】
以下に図面に沿って本考案の実施形態を説明する。ここで、図面は、本考案の基本概念を簡素に示したものである。図面は、本考案に関連する構造を例示したものであり、本考案を実際に実施するときの部材の数、形状および寸法を示すわけではない。本考案を実際に実施するとき、各部材の形態、数および比率は、図面により、限定されず、必要に応じ、変更することができる。
【００１１】
図１と図２を同時に参照してください。図１は、本考案のクイックリリース構造の分解図、図２は、本考案のクイックリリース構造の組合図を示している。
本考案は、クランプ２、クイックリリースねじ３、固定ボルト４とクイックリリースレバー５を備えてなるクイックリリース構造１である。
【００１２】
クランプ２は、プラスチック製で、開口２１があるため、プラスチックで成形するとき、開口２１にある二つの延伸部２２の端部には、つなぎ板６でつないでおり、各延伸部２２には、クイックリリースねじ３が通るための第一貫通孔２３が設けられており、また、クランプ２の内側面は段階的構造で、段階的ホール２４が形成され、すなわち、一つの大径孔及び一つの小径孔が形成されている。
【００１３】
クランプ２はプラスチック製なので、従来の金属製の場合と異なり、その束ねる対象になる金属製管体への摩擦係数が比較的に高く、よりよい束ね効果を得られると同時に、金属材間の接触やぶつかりによる音の発生を避けることができる。そして、段階的構造になる段階的ホール２４では、管径が異なって、管体をしっかりと締められないということはなく、管径の異なった伸縮管のつなぎを束ねるときにも、しっかりと締め付けることができる。
【００１４】
クイックリリースレバー５の片側には、二つの固定セクション５１がはみ出し、各固定セクション５１には、固定ボルト４が通って設けられるための第二貫通孔５２があり、また、各固定セクション５１の端部は、隣接した延伸部２２の上に突いている。
【００１５】
固定ボルト４は、真ん中に第三貫通孔４１があり、固定ボルト４がクイックリリースレバー５の二つの固定セクション５１を通ったとき、第三貫通孔４１を露出させて、クイックリリースねじ３がクランプ２の各延伸部２２の第一貫通孔２３を通ってから、第三貫通孔４１を通って固定されるようにする。
クイックリリースねじ３は、固定ボルト４の第三貫通孔４１を通って固定されるように設けられている。
【００１６】
図３に示すのは、本考案のクイックリリース構造におけるクイックリリースレバーを動かしてからの立体図である。クイックリリースレバー５を動かしたとき、一つのつなぎ板でつなぎ、プラスチック製で一体射出成形されている、本考案のクランプの二延伸部の二端部は、各固定セクション５１の端部が隣接した延伸部２２に突き、二延伸部２２間の間隔を縮めて、つなぎ板６の片側を、それに対応の延伸部２２の端部から離させて、クランプ２が管体を束ねるようになる。
【００１７】
それゆえ、上述の構造により、管径の異なった伸縮管のつなぎ部間を束ねることができ、また、プラスチックなので、よりよい束ね効果を得られると同時に、金属材間の接触やぶつかりによる音の発生を避けることができる。
【００１８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１９】
１  クイックリリース構造
２  クランプ
３  クイックリリースねじ
４  固定ボルト
５  クイックリリースレバー
６  つなぎ板
２１  開口
２２  延伸部
２３  第一貫通孔
２４  段階的ホール
４１  第三貫通孔
５１  固定セクション
５２  第二貫通孔
【図１】
0003159054.tif 000003
【図２】
0003159054.tif 000004
【図３】
0003159054.tif 000005